(57)【要約】当局による遠隔通信コネクションの傍受の必要性についての効率的な判定は、遠隔通信コネクション（６）の傍受について判定するための方法によって可能となる。この方法において、遠隔通信コネクション（６）の少なくとも１つ加入者（１、２）に関する識別データ（＋４９１７２８９１２３４５）について、この識別データ（＋４９１７２８９１２３４５）がリスト（９）に格納された監視すべき加入者（１、２、３、４）に関する少なくとも１つの識別データ短縮（１０、１１、１２）の中に含まれているかどうかを検査し、この識別データ（＋４９１７２８９１２３４５）がリストの中に含まれている場合には、遠隔通信コネクション（６）の傍受（１３、１４）が指示される。
2006513647.tif 000002
【特許請求の範囲】
【請求項１】
遠隔通信コネクション（６）の傍受について判定するための方法において、
前記遠隔通信コネクション（６）の少なくとも１つ加入者（１、２）に関する識別データ（＋４９１７２８９１２３４５）について、この識別データ（＋４９１７２８９１２３４５）がリスト（９）に格納された監視すべき加入者（１、２、３、４）に関する少なくとも１つの識別データ短縮（１０、１１、１２）の中に含まれているかどうかを検査し、
この識別データ（＋４９１７２８９１２３４５）がリストの中に含まれている場合には、前記遠隔通信コネクション（６）の傍受（１３、１４）が指示されることを特徴とする、遠隔通信コネクション（６）の傍受について判定するための方法。
【請求項２】
識別データ短縮（１０）が移動無線加入者番号に関する識別データ（１５）の部分であることを特徴とする、請求項１記載の方法。
【請求項３】
識別データ短縮（１０）が遠隔通信加入者（１）のＥメールアドレスの部分であることを特徴とする、請求項１又は２記載の方法。
【請求項４】
識別データ短縮（１２）は遠隔通信加入者のＥメールアドレスのドメインネームデータ又はドメインネームデータの部分であることを特徴とする、請求項３記載の方法。
【請求項５】
識別データ短縮（１６）は遠隔通信端末識別子（ＥＭＥＩ）の部分であることを特徴とする、請求項１〜４のうちの１項記載の方法。
【請求項６】
遠隔通信コネクションは移動無線ネットワーク及び／又は固定ネットワーク及び／又はインターネットを介してルーティングされることを特徴とする方法。
【請求項７】
検査は遠隔通信ネットワークの装置（７）又はこの装置（７）に接続された装置（８）によって行われ、前記遠隔通信ネットワークを介して遠隔通信コネクションがルーティングされることを特徴とする、請求項１〜６のうちの１項記載の方法。
【請求項８】
傍受は当局の装置（１４）によって行われることを特徴とする、請求項１〜７のうちの１項記載の方法。
【請求項９】
識別データの検査（８）はコネクションのセットアップの際に行われることを特徴とする、請求項１〜８のうちの１項記載の方法。
【請求項１０】
遠隔通信加入者の識別データの検査は遠隔通信コネクション（６）を介するデータパケットの伝送の際に行われることを特徴とする、請求項１〜９のうちの１項記載の方法。
【請求項１１】
遠隔通信コネクションの傍受について判定するための装置（８、９）において、
メモリ（９）に格納された、傍受すべき遠隔通信加入者（１、３）に関する識別データ短縮のリスト（１０、１１、１２、１６）を有し、
遠隔通信コネクション（６）を介して伝達される、前記遠隔通信コネクションの加入者に関する識別データと格納された（９）識別データ短縮（１０〜１２）とを比較するための比較装置（８）を有し、
識別データ短縮により監視対象と識別された（８）少なくとも１つの遠隔通信加入者（１、２）との遠隔通信コネクションの監視を指示するための判定装置（８）を有する、遠隔通信コネクションの傍受について判定するための装置（８、９）。
【発明の詳細な説明】
【技術分野】
【０００１】
本発明は遠隔通信コネクションの傍受のための方法及び装置に関する。
【０００２】
移動無線ネットワークにおいては、当業者には周知であるように、遠隔通信コネクションのセットアップの際にこの遠隔通信コネクションに加入している遠隔通信加入者に関する識別データを監視すべき遠隔通信加入者の格納されたリストと比較し、少なくとも１つの遠隔通信加入者の識別データが監視すべき遠隔通信加入者に関する識別データのリストに含まれている場合には遠隔通信コネクションの傍受が指示されることによって、容疑のかけられた遠隔通信加入者にルーティングされる遠隔通信コネクションの当局による監視（＝傍受／インターセプション）が可能である。
【０００３】
本発明の課題は、遠隔通信コネクションの加入者を傍受するべきかどうかの決定を簡略化することである。この課題は、それぞれ主請求項の特徴部分記載の構成によって解決される。
【０００４】
複数の加入者に関する識別データの部分である識別データ短縮（Identifikationsangabenabkuerzungen）が傍受すべき遠隔通信加入者に関するリストに格納されることによって、検査すべきリストエントリの数を低減することができる。また、非常に多数の遠隔通信加入者を識別データ短縮によって識別することが可能であり、例えばプレフィックス桁＋４９８９*を有する全ての加入者を識別することが可能である。
【０００５】
この場合、識別データ短縮はとりわけ移動無線加入者番号に関する識別データの部分であり、これによって多数の移動無線加入者が大きな範囲の識別データ短縮（＋４９８９*）によって傍受すべき遠隔通信加入者のリストへの一度のエントリによってマークされ、簡単に傍受対象として識別されうる。同様に移動無線端末番号（ＩＭＥＩ）の所定のグループが端末番号の短縮によって監視対象として識別されうる。
【０００６】
さらに、所定のＥメールアドレスを有する多数の遠隔通信加入者を傍受対象として識別するために本発明を使用することが可能である。とりわけ、所定のドメインネーム（*＠ａｏｌ．ｄｅ又は*＠ａｒｃｏｒ．ｄｅ等々）を有する全ての遠隔通信加入者が傍受対象として識別データ短縮のリストにエントリされうる。
【０００７】
本発明はとりわけ移動無線ネットワーク及び／又は固定ネットワーク及び／又はインターネットを介してルーティングされる遠隔通信コネクションによる使用に適している。
【０００８】
検査は移動無線ネットワークにおける装置又は移動無線ネットワークの装置に接続された装置によって行われる。
【０００９】
本発明の使用は当局によって行われるべきである。
【００１０】
本発明の更に別の特徴及び利点は請求項及び図面に基づく実施例の以下の記述から得られる。ここで図１は遠隔通信コネクションの本発明の傍受のための方法及び装置を概略的に示す。
【００１１】
加入者２の移動無線端末１は加入者４の移動無線端末３と遠隔通信ネットワーク５（移動無線ネットワーク及び／又は固定ネットワーク及び／又はインターネット）を介してルーティングされる遠隔通信コネクション６を介して接続される。この場合、装置７又はこの装置７に接続された装置８によって、遠隔通信コネクション６のセットアップの際に（又は代替的にデータパケットの伝送の際に遠隔通信コネクション６を介して伝送される）加入者端末のうちの１つに由来する（加入者（ＩＭＳＩ）及び／又は端末（ＩＭＥＩ）及び／又はＥメールアドレスに関する）識別データが、比較及び判定装置８によってメモリ９に格納された識別データ短縮のリスト１０、１１、１２と比較され、この結果、加入者のうちの少なくとも１つに対して遠隔通信コネクションの傍受が必要となるかどうかが検出される。このために、加入者に関する識別データが格納されたリスト９の中の識別データ短縮１０、１１、１２に含まれている。例えば、加入者端末１の電話番号＋４９１７２８９１２３４５がリスト９の中の識別データ短縮＋４９１７２８９*（「*」は任意のシーケンスを象徴している）に含まれ、このケースでは（この加入者２の端末１との）遠隔通信コネクション６の監視が行われる。この監視は、例えば、コネクション１３を介して、遠隔通信コネクション６を介して伝達されるデータのコピーが当局の傍受センタ１４に伝達されることによって行われる。電話番号短縮の代わりに、識別データ短縮は加入者２、４のＥメールアドレスの一部分であってもよく、とりわけ例えばＥメールアドレスのドメイン部分である。従って、例えば、識別データ短縮「＠ａｒｃｏｒ．ｄｅ」は識別データ「名１．姓１＠ａｒｃｏｒ．ｄｅ」、「名２．姓”＠ａｒｃｏｒ．ｄｅ」、「名３．姓３＠ａｒｃｏｒ．ｄｅ」の短縮を、すなわち「＠ａｒｃｏｒ．ｄｅ」を含む全てのＥメールアドレスデータの短縮を含むことができる。遠隔通信コネクションのセットアップの際に又は遠隔通信コネクションを介するデータの伝送の際に識別データが加入者のうちの１つから伝達される場合には、遠隔通信コネクションのこの加入者又はもう一方の加入者に関する識別データが比較及び判定装置８によって格納された識別データ短縮と比較され、この結果、加入者の識別データ１が遠隔通信コネクション６の監視を必要とするかどうかが検出され、場合によっては当局の傍受センタ１４へのコピーの伝達が装置７によって指示される。
【００１２】
識別データは遠隔通信加入者に関する任意の識別データであればよい。従って、電話番号又はＥメールアドレスのほかにも、例えばＳＩＰアドレス又はＶｏｉｃｅ−ｏｖｅｒ−ＩＰアドレス、又はクレジットカード番号、自動車登録ナンバー、郵便番号のような例えばコネクションセットアップ等々のためのＩＮアプリケーション（又は他のノードにおけるアプリケーション）に使用することができる任意の番号でもよい。
【図面の簡単な説明】
【００１３】
【図１】遠隔通信コネクションの本発明の傍受のための方法及び装置を概略的に示す。
【符号の説明】
【００１４】
１  移動無線端末
２  加入者
３  移動無線端末
４  加入者
５  遠隔通信ネットワーク
６  遠隔通信コネクション
７  装置（スイッチングセンタ）
８  装置７に接続された装置（スイッチングセンタ）
９  メモリ
１０、１１、１２  識別データ短縮のリスト
１３  コネクション
１４  当局の傍受センタ
【図１】
2006513647.tif 000003
【国際調査報告】
2006513647.tif 000004
2006513647.tif 000005
2006513647.tif 000006
2006513647.tif 000007
2006513647.tif 000008
2006513647.tif 000009